(57)【要約】【課題】  モバイル機器操作を終了しない限り、モバイル機器側が優先され、安定したプラントの操作・操業を実現するプラント監視システムを得る。【解決手段】  プラントのデータを収集・制御するコントローラ１２と、このデータを監視・操作する中央のパソコンＰＣと、パソコンの操作を中央以外の遠隔で行うモバイル機器１７とでプラントを監視・操作するものであって、中央のパソコンとモバイル機器とを同時に操作することを禁止するため、中央が無操作モードであることを判断する中央無操作監視判断手段２７と、中央操作とモバイル操作とに切り替える中央・モバイル操作切替手段２９Ａとを備え、モバイル操作中であることを中央のパソコンに通知して、モバイル操作中であることを認識させ、一方、中央でのパソコン操作中はモバイル機器に中央操作中であることを自動的に判断する機構を有する。【選択図】    図２
2007058533.tif 000002
【特許請求の範囲】
【請求項１】
プラントを監視・操作するために、プラントの各種データを収集・制御するコントローラと、このコントローラが保有するデータを監視・操作する中央のパソコンと、このパソコンの操作を中央以外の遠隔で行うモバイル機器とにより、プラントを中央及び遠隔で監視・操作するプラント監視システムであって、
中央のパソコンとモバイル機器とが固有のプロセスを同時に操作することを禁止するために、中央が無操作モードであることを判断する中央無操作監視判断手段と、中央操作とモバイル操作とに切り替える中央・モバイル操作切替手段とを備え、
モバイル操作中であることを中央のパソコンに通知して、モバイル操作中であることを認識させ、一方、中央でのパソコン操作中はモバイル機器に中央操作中であることを自動的に判断する機構を有することを特徴とするプラント監視システム。
【請求項２】
中央無操作監視判断手段は、モニタ電源のＯＦＦを検出するモニタ電源信号、手動操作が無かったことを検出する操作無し信号、及び監視操作室の照明スイッチがＯＦＦしたことを検出する照明スイッチ信号のいずれかがその状態を検出したら、中央は無操作モードと判断することを特徴とする請求項１記載のプラント監視システム。
【請求項３】
中央無操作監視判断手段に、更にモバイル機器で機器操作を行っている状態を持たせ、モバイル機器操作が許可されたら、次に中央操作が許可されるまでモバイル機器側が優先となるように構成したことを特徴とする請求項２記載のプラント監視システム。
【請求項４】
モバイル操作が行われていない時には、自動的に中央操作を許可するように構成したことを特徴とする請求項１〜請求項３記載のプラント監視システム。
【請求項５】
中央のパソコンとモバイル機器とが固有のプロセスを同時に操作することを禁止するために、禁止される側の機器フェースプレートに許可側機器が操作中であることを示す警告が発報され、同時操作禁止を促す機能を備えたことを特徴とする請求項１〜請求項４記載のプラント監視システム。
【発明の詳細な説明】
【技術分野】
【０００１】
この発明は、食品プラントなどの一般産業分野のプラント情報を、遠隔地でノートパソコンなどのモバイル機器で監視するための無線ＬＡＮ装置とノートパソコン装置などから構成されるモバイル機器によるプラント監視システムに関するものである。
【背景技術】
【０００２】
従来のノートパソコンなどのモバイル機器を利用した遠隔操作では、操作対象機器に対して手動で操作禁止のオペレーションを行う必要があり、操作のし忘れや戻し忘れが発生し易く、人間系に頼った安全対策が主であった。
また、接続先のコンピュータの画面をそのまま見ながらリモートコントロールできるソフトウェアを利用したプラントの遠隔操作の場合は、接続先の中央のパソコンが一台であるため、中央で複数台数のパソコンで監視・操作している場合には、接続されていない側との同一機器への競合が起こりやすいが、これに対する対策が殆どなされていないのが実情である。
【０００３】
また、従来技術として、多数の人員を必要とすることなく、監視操作員は、本来の職務を行いながら、現場の状況を確認でき、又現場作業員は、的確な現場作業の実施と、万一の際の迅速な対応を行うことができるマンマシンインターフェース機能を有するプラント運転監視操作装置が提案されている（例えば、特許文献１参照）。
【０００４】
【特許文献１】特開平１１−２０２９３１号公報
【発明の開示】
【発明が解決しようとする課題】
【０００５】
従来のモバイル機器による遠隔操作は、対象機器の操作を中央のパソコンと競合しないように、画面上の対象機器フェースプレートに操作禁止の札掛けを行うことで実現していた。このように構成されているためオペレータは誤った対象機器に操作禁止の札掛けをしたり、札掛けをしないままモバイル機器操作を行う恐れがあったり、また、札掛け操作の解除を忘れる恐れがあることから、操業の安定を低下させオペレータの負荷低減の妨げになるといった問題があった。
【０００６】
この発明は上記のような課題を解決するためになされたものであり、画面上の対象機器フェースプレートに操作禁止の札掛けをすること無く、中央にオペレータがいない時であれば、モバイル機器操作を自由に行うことができ、その後、中央での操作と競合になったとしても、モバイル機器操作を終了しない限りは、モバイル機器側が優先され、安全で、かつ安定したプラントの操作・操業を実現できるプラント監視システムを提供することを目的とする。
【課題を解決するための手段】
【０００７】
この発明に係るプラント監視システムは、プラントを監視・操作するために、プラントの各種データを収集・制御するコントローラと、このコントローラが保有するデータを監視・操作する中央のパソコンと、このパソコンの操作を中央以外の遠隔で行うモバイル機器とにより、プラントを中央及び遠隔で監視・操作するプラント監視システムであって、中央のパソコンとモバイル機器とが固有のプロセスを同時に操作することを禁止するために、中央が無操作モードであることを判断する中央無操作監視判断手段と、中央操作とモバイル操作とに切り替える中央・モバイル操作切替手段とを備え、モバイル操作中であることを中央のパソコンに通知して、モバイル操作中であることを認識させ、一方、中央でのパソコン操作中はモバイル機器に中央操作中であることを自動的に判断する機構を有するものである。
【発明の効果】
【０００８】
この発明によれば、モバイル機器の画面上に今まさに操作しようとする対象機器フェースプレートにのみ、操作中であることを表示することで、中央にあるパソコンで同一の対象機器のフェースプレートを選択した際には、モバイル機器操作中であることが分かるので、容易に操作の競合を防止することができる。また、モバイル機器での操作が終了したことを、中央のオペレータに告げなくとも対象機器フェースプレートから別の画面に展開した際には、直前に操作した対象機器のフェースプレートの操作中表示を解除することで、中央での操作に簡単に引継ぐことができる。
【発明を実施するための最良の形態】
【０００９】
実施の形態１．
図１はこの発明の実施の形態１におけるプラント監視システムを示すシステム構成図、図２はこの発明の実施の形態１におけるプラント監視システムの中央無操作判断状態を示す構造ブロック図である。
【００１０】
以下、この発明の実施の形態１を図１に基づいて説明する。図１において、１は例えば食品プラントなどの一般産業分野のプラントである。１１は中央監視装置で、プラント１を監視・操作するために、各種プロセス情報を有するプラント１の情報との受渡し及び制御を行うコントローラ１２を備えている。このコントローラ１２は、モニタ装置１３と手動操作部１４をもつ第１の中央パソコン装置ＰＣ−１、及びモニタ装置１３ａと手動操作部１４ａをもつ第２の中央パソコン装置ＰＣ−２と通信回線で接続している。また、よりプラント１に近い場所かプラント１の監視を中央以外にも置きたいときのために、第１の中央パソコン装置ＰＣ−１や第２の中央パソコン装置ＰＣ−２と別の通信回線を使って、ハブ装置１５から、ハブ装置１５ａ、１５ｂを経由し、アクセスポイント１６ａや１６ｂと無線を介してノートパソコンなどのモバイル機器装置１７ａ、１７ｂと通信することで、第１の中央パソコン装置ＰＣ−１での監視・操作をモバイル機器装置１７ａ、１７ｂでも同一操作ができる、いわゆる遠隔操作ができる構成となっている。ハブ装置１５ａ、アクセスポイント１６ａ、モバイル機器装置１７ａが遠隔地Ａに設けられ、ハブ装置１５ｂ、アクセスポイント１６ｂ、モバイル機器装置１７ｂが遠隔地Ｂに設けられている。なお、ノートパソコンなどのモバイル機器装置１７ａ、１７ｂは第１の中央パソコン装置ＰＣ−１に対する遠隔操作であるため、第２の中央パソコン装置ＰＣ−２とは遠隔操作の対象外となる。
【００１１】
次に動作について説明する。図２はこの発明の実施の形態１におけるプラント監視システムの中央無操作判断状態を示す構造ブロック図であり、中央監視装置１１での中央パソコン装置ＰＣによる監視・操作が行われていないことを判断する機構の詳細説明である。モニタ装置１３の操作終了や退席時に行うモニタ電源をＯＦＦしたことを検出するモニタ電源監視部２６からのモニタ電源信号と、手動操作部１４による手動操作が無かった状態を検出する操作無し状態検出部２５からの操作無し信号と、モニタ監視、手動操作を行うプラント監視装置が設置されている監視操作室の照明スイッチ信号２３による照明スイッチがＯＦＦしたことを検出する監視操作室照明監視部２４からの照明スイッチ信号にそれぞれタイマー１、タイマー２、タイマー３を持たせ、各種の状態が継続したことを判断し、３つの信号のいずれかでも状態を検出したら中央は無操作モードであることを判断する中央無操作監視判断部２７により、既存の情報から無人・無操作状態を判断でき、オペレータの存在を高価な装置である赤外線感知機等のセンサーを使う必要のないものである。さらには、モバイル機器で該当機器の操作を行っている状態にタイマー４を持たせ、前述の３つの信号に加えることで、一度モバイル機器操作が許可されたら、次に中央監視装置１１からの操作が許可されるまでモバイル機器側が優先となるように構成することで、安定した切替機構を実現する。こうして得られた中央無操作監視判断信号がＯＮ中は、中央・モバイル操作切替部２９Ａによりモバイル操作２８から該当機器のフェースプレート２９Ｂの操作が可能となり、中央無操作監視判断信号がＯＦＦ中は、中央・モバイル操作切替部２９Ａにより中央操作２９から該当機器のフェースプレート２９Ｂの操作が可能となるように構成されている。
【００１２】
実施の形態２.
なお、上記実施の形態１では、図２の中央無操作監視判断部２７により、中央監視装置１１とモバイル機器１７の操作の安定した切替機構について述べたが、図３は中央無操作監視判断信号によって得られた中央操作許可状態の、該当機器のフェースプレートの操作状態を示し、モバイル機器に表示されている該当機器のフェースプレート３２は、中央パソコン操作中である警告としてフェースプレート全体をフリッカ表示させていることを表わしている。また、図４は中央無操作監視判断信号によって得られたモバイル機器操作許可状態の、該当機器のフェースプレートの操作状態を示し、中央のパソコンに表示されている該当機器のフェースプレート３１は、モバイル機器操作中である警告としてフェースプレート全体をフリッカ表示させていることを表わしている。このことにより、中央のパソコンとモバイル機器の同時操作を未然に防止することができる。
【００１３】
実施の形態３.
なお、上記実施の形態２では、図３、図４により現在許可されていない側のフェースプレートに警告表示を与えているが、図５はモバイル機器操作のフェースプレート表示３２を他のフェースプレート外画面５１に切り替えた時点で、図３の中央操作許可の状態に自動的に移行し、中央無操作状態である時に図５の他のフェースプレート外画面５１から該当機器のフェースプレート３２に切り替えた時点で、図４のモバイル機器操作許可の状態に移行できることから、柔軟度の高い簡単・明瞭な切り替えを図ることができる。
【図面の簡単な説明】
【００１４】
【図１】この発明の実施の形態１におけるプラント監視システムを示すシステム構成図である。
【図２】この発明の実施の形態１におけるプラント監視システムの中央無操作判断状態を示す構造ブロック図である。
【図３】この発明の実施の形態２におけるプラント監視システムの中央操作状態を示す構造ブロック図である。
【図４】この発明の実施の形態２におけるプラント監視システムのモバイル操作状態を示す構造ブロック図である。
【図５】この発明の実施の形態３におけるプラント監視システムの操作状態の解除及び移行を示す構造ブロック図である。
【符号の説明】
【００１５】
１  プラント
１１  中央監視装置
１２  コントローラ
１３  モニタ装置
１４  手動操作部
ＰＣ−１、ＰＣ−２  中央パソコン装置
１５、１５ａ、１５ｂ  ハブ
１６ａ、１６ｂ  アクセスポイント
１７ａ、１７ｂ  モバイル機器（ノートパソコンなど）
２３  照明スイッチ信号
２４  監視操作室照明監視部
２５  操作無し状態検出部
２６  モニタ電源監視部
２７  中央無操作判断部
２８  モバイル操作
２９  中央操作
２９Ａ  中央・モバイル操作切替部
２９Ｂ  機器操作フェースプレート
３１  中央パソコンフェースプレート
３２  モバイル機器フェースプレート
５１  フェースプレート外画面
【図１】
2007058533.tif 000003
【図２】
2007058533.tif 000004
【図３】
2007058533.tif 000005
【図４】
2007058533.tif 000006
【図５】
2007058533.tif 000007